(57)【特許請求の範囲】
【請求項１】
躯体に固定された上下枠、及び左右縦枠からなる窓枠を設け、この窓枠の外周に躯体の外側に位置する外張断熱材を設け、上記窓枠の少なくとも上枠、及び左右縦枠には外張断熱材の外面と略面一に延びる延出部を設け、この延出部と外張断熱材の端部で囲まれる空間内に発泡ウレタンの詰め物を充填し、上記略面一に延びる延出部と外張断熱材間に跨って防水テープを貼設する構成としたことを特徴とする開口部装置。
【請求項２】
前記窓枠が躯体に固定される本体枠と、この本体枠に取り付けられる別部材の外付け枠とを有し、この外付け枠が、上記本体枠との接合部をシーリングするためのシーリング材の受け止め部を備えたことを特徴とする請求項１記載の開口部装置。
【請求項３】
躯体に固定された上下枠、及び左右縦枠からなる窓枠を設け、この窓枠の外周に躯体の外側に位置する外張断熱材を設け、上枠、及び下枠は、本体枠と、これに固定された外付け枠とを有し、この外付け枠には外張断熱材の外面と略面一に延びる延出部、及び外張断熱材の端部に接触する面を有するホロー部を設け、このホロー部の上記面に外張断熱材の端部を接触させ、上記略面一に延びる延出部と外張断熱材間に跨って防水テープを貼設する構成としたことを特徴とする開口部装置。
【発明の詳細な説明】
【０００１】
【発明の属する技術分野】
本発明は、躯体の外側に外張断熱材を配置した開口部装置に関する。
【０００２】
【従来の技術】
図９は、従来の充填工法を示し、図１０は、従来の外張断熱工法を示している。図９において、４１は窓枠の上枠を示している。この上枠４１には釘打ちフィン４１Ａが一体的に形成され、この釘打ちフィン４１Ａは、図示を省略した釘を用いて躯体４２にねじ止めされている。この躯体４２の内側には断熱材４３が充填されている。４４はシージングボード、４５はバックアップ材である。
【０００３】
この種のものでは、釘打ちフィン４１Ａとシージングボード４４間にその隙間を覆う防水テープ４６が貼設されている。
【０００４】
図１０は外張断熱工法を示し、躯体４２の外側に発泡ウレタン等による断熱材５１が外張りされている。この外張断熱工法では、釘打ちフィン４１Ａの釘打ちを可能にするため、躯体５２の外側にふかし材５３が必要になり、しかも外張断熱材５１の分だけ窓枠４１が外側に突出するため、図示を省略した内装材が大型化し規格品を使えなくなる等の問題が発生する。
【０００５】
これを解消するために、近年では、図１１に示すように、窓枠を構成する上枠６１の枠出幅Ｗを大きく形成し、この上枠６１の枠出幅Ｗ内に外張断熱材６３を納めるようにしたものが提案されている。
【０００６】
【発明が解決しようとする課題】
しかしながら、図１１の構成では、上枠６１の下面６１Ａと外張断熱材６３の外面６３Ａとの間に、その隙間を覆う防水テープ６５を、略Ｌ字形に折り曲げながら貼設しなければならず、作業性が悪いと共に、窓枠に沿って四方枠状に貼られる防水テープ６５が重なり合う４つのコーナー部において、ピンホールが形成され易く、雨仕舞いが不安定になるという問題がある。
【０００７】
そこで、本発明の目的は、上述した従来の技術が有する課題を解消し、防水テープを貼設する際の作業性に優れ、しかも雨仕舞いを安定させることのできる開口部装置を提供することにある。
【０００８】
【課題を解決するための手段】
請求項１記載の発明は、躯体に固定された上下枠、及び左右縦枠からなる窓枠を設け、この窓枠の外周に躯体の外側に位置する外張断熱材を設け、上記窓枠の少なくとも上枠、及び左右縦枠には外張断熱材の外面と略面一に延びる延出部を設け、この延出部と外張断熱材の端部で囲まれる空間内に発泡ウレタンの詰め物を充填し、上記略面一に延びる延出部と外張断熱材間に跨って防水テープを貼設する構成としたことを特徴とする。
【０００９】
この発明では、上記窓枠の少なくとも上枠、及び左右縦枠には外張断熱材の外面と略面一に延びる延出部が設けられ、この略面一に延びる延出部と外張断熱材との間に防水テープが貼設されるため、従来のように、防水テープを略Ｌ字形に折り曲げながら貼設する必要がなく、防水テープを貼設する際の作業性が向上し、しかも防水テープが重なり合うコーナー部でピンホールが発生せず、雨仕舞いを安定させることができる。なお、下枠の防水テープを省略した場合、この下枠側には水切りを設けることが望ましい。
【００１０】
請求項２記載の発明は、請求項１記載のものにおいて、前記窓枠が躯体に固定される本体枠と、この本体枠に取り付けられる別部材の外付け枠とを有し、この外付け枠が、上記本体枠との接合部をシーリングするためのシーリング材の受け止め部を備えたことを特徴とする。
【００１１】
この発明では、外付け枠がシーリング材の受け止め部を備えたため、本体枠と外付け枠との接合部へのシーリング材の打ち込み作業が容易になる。
請求項３記載の発明は、躯体に固定された上下枠、及び左右縦枠からなる窓枠を設け、この窓枠の外周に躯体の外側に位置する外張断熱材を設け、上枠、及び下枠は、本体枠と、これに固定された外付け枠とを有し、この外付け枠には外張断熱材の外面と略面一に延びる延出部、及び外張断熱材の端部に接触する面を有するホロー部を設け、このホロー部の上記面に外張断熱材の端部を接触させ、上記略面一に延びる延出部と外張断熱材間に跨って防水テープを貼設する構成としたことを特徴とする。
【００１２】
【発明の実施の形態】
以下、本発明の一実施形態を添付図面に従って説明する。
【００１３】
図１は、窓枠の取付構造を示す縦断面図である。図１において、１は窓枠を示し、この窓枠１は、左右に配置された縦枠（図示せず）と、上枠３、及び下枠５とを四方枠組みして構成され、その内側にはガラス６を有した障子７が開閉自在に設けられている。８はハンドルである。上枠３、及び下枠５は略同様の構造を有し、それぞれ２つの釘打ちフィン９Ａ，９Ｂを一体的に有している。
【００１４】
上記窓枠１は、この釘打ちフィン９を貫通して釘１１を打ち込むことにより躯体１２に固定されている。この躯体１２は柱１２Ａと、耐力ボード１２Ｂと、内装ボード１２Ｃとからなり、室内側には内装材１３が設置されている。
【００１５】
上枠３、及び下枠５は、図２に拡大して示すように、２つの釘打ちフィン９を有した本体枠３Ａ，５Ａと、この本体枠３Ａ，５Ａの先端にねじ１５を介して着脱自在に取り付けられた外付け枠３Ｂ，５Ｂとからなり、この外付け枠３Ｂ，５Ｂには、後述する外張断熱材１７の外面１７Ａと略面一に延びる延出部３Ｃ，５Ｃが一体的に形成されている。なお、図示は省略したが、縦枠においても同様の構成を有している。本体枠３Ａ，５Ａと外付け枠３Ｂ，５Ｂとの分割構造としたことにより、例えば、図９の充填工法に使用する場合と、図１０の外張断熱工法に使用する場合とで、本体枠３Ａ，５Ａの兼用化が図れる。
【００１６】
本実施形態では、躯体１２を構成する耐力ボード１２Ｂの外面に防湿気密シート１８、気密テープ１９等が貼られ、その上に、上記外張断熱材１７が貼設されている。この外張断熱材１７は外形を一回り大きめに形成しておいて、その外周部１７Ｂを、延出部３Ｃ，５Ｃの内側に形成された空間Ａ内に押し込むように嵌合配置させることが望ましい。この空間Ａに断熱材が存在しない場合、空間Ａ内に空気の対流が起こり、室外側と室内側との間の断熱性能が損なわれるからである。しかし、この嵌合配置は、外張断熱材１７の組立作業性を著しく低下させる。そこで、図１に示す実施形態では、外張断熱材１７を空間Ａの分だけ小さく形成しておいて、そこに形成される空間Ａ内には、例えば発泡ウレタン２０を充填する。これによれば、組立作業性が低下することがない。
【００１７】
この外張断熱材１７の外面には防湿気密シート２１が貼られている。そして、この外張断熱材１７と上枠３、及び下枠５との隙間を覆うように、防水テープ２３が、外張断熱材１７の外面と上記延出部３Ｃ，５Ｃとの間に跨って貼設されている。この延出部３Ｃ，５Ｃは、外張断熱材１７の外面１７Ａと略面一に延びているため、防水テープ２３を貼る作業は容易である。なお、この防水テープ２３は上枠、左右縦枠の３方にだけ設ける構成であってもよく、この場合、下枠側には水切りを設けることが望ましい。
【００１８】
図３は、防水テープ２３が重なり合うコーナー部２５を示す。従来のように、防水テープを略Ｌ字形に折り曲げながら貼設する必要がなく、この防水テープ２３を貼設する際の作業性が向上し、しかも従来のようにコーナー部２５でピンホールが形成されることはなく、雨仕舞いを安定させることができる。
【００１９】
また、図１を参照し、上枠３の本体枠３Ａと外付け枠３Ｂの連結部には、ねじ１５を受け入れる凹部２６が形成されている。上枠３に形成されたこの凹部２６は、外張断熱材１７の外面１７Ａに沿って流れ落ちる雨水を外部に導く機能を有する。２７はバックアップ材である。
【００２０】
図４は、別の実施形態を示す。
【００２１】
上枠３、及び下枠５は、２つの釘打ちフィン９Ａ，９Ｂを有した本体枠３Ａ，５Ａと、この本体枠３Ａ，５Ａの先端にねじ１５を介して固定された外付け枠１０３Ｂ，１０５Ｂとで構成されている。この外付け枠１０３Ｂ，１０５Ｂはホロー部１０７を有し、このホロー部１０７はねじ１０８を介して上記釘打ちフィン９Ａに固定されている。このホロー部１０７には別の釘打ちフィン１０９Ａが一体形成され、上枠３、及び下枠５は、この釘打ちフィン１０９Ａ及び釘打ちフィン９Ｂを貫通して釘１１を打ち込むことにより躯体１２に固定されている。なお、図示しない縦枠でも同様の構成である。
【００２２】
本実施形態では、図５に示すように、ホロー部１０７に、外張断熱材１７の外面１７Ａと略面一に延びる延出部１１１が形成され、この延出部１１１に連なる面に、外張断熱材１７の端部に接触する面１１３が形成されている。これによれば、延出部１１１が外張断熱材１７の外面１７Ａと略面一に延びているため、上記実施形態と同様に、防水テープ２３を貼る作業が容易になる。上記面１１３が外張断熱材１７の端部に接触するため、図１のものと比べた場合、発泡ウレタン２０等の詰め物の充填作業が不要になる。
【００２３】
図６及び図７は、窓枠を、本体枠３Ａ，５Ａと外付け枠３Ｂ，５Ｂとの２分割構造とした場合における、本体枠３Ａ，５Ａと外付け枠３Ｂ，５Ｂとの接合部のシール構造を示す。いずれの場合も、本体枠３Ａ，５Ａと外付け枠３Ｂ，５Ｂの接合部が、外付け枠３Ｂ，５Ｂに取り付けられたシール材８１と、本体枠３Ａ，５Ａと外付け枠３Ｂ，５Ｂの接合面に介装されたシーリング材８２とで封水される。このシーリング材８２は、本体枠３Ａ，５Ａと外付け枠３Ｂ，５Ｂをねじ１５で連結した後、当該接合面の隙間に矢印Ａ方向から打ち込まれる。
【００２４】
図６では、外付け枠３Ｂ，５Ｂに対し、シーリング材８２の受け止め部８３が一体的に形成されている。この受け止め部８３は接合面に略直交して延びるフィンであり、外付け枠３Ｂ，５Ｂの長手方向の略全域に延在する。また図７では、上記フィンの代わりに、受け止め部８３を構成するタッピングねじホール部が一体的に形成されている。いずれの場合も、上記接合面にシーリング材８２を打ち込む場合、シーリング材８２が、フィン或いはタッピングねじホール部で構成された受け止め部８３で受け止められるため、シーリング材８２の接合面への打ち込み作業が容易になる。シーリング材８２は、四方枠組みされた窓枠１の四方全域に亘って打ち込んでもよいが、四方枠の４隅のコーナー部にだけ打ち込む構成としてもよい。水漏れはコーナー部で発生し易いからである。
【００２５】
図８はさらに別の実施形態を示している。
【００２６】
この実施形態では、上枠３、及び下枠５が、上記の各実施形態と異なり、２分割構成されておらず、一体形成されている。なお、縦枠も同様の構成であり、分割構成されておらず、一体形成されている。これによれば、例えば、図１のねじ１５によるねじ止め作業等が不要なため、組立作業性が向上し、しかも図６及び図７で示した、シール構造が不要になる等の効果が得られる。
【００２７】
以上、一実施形態に基づいて本発明を説明したが、本発明は、これに限定されるものでないことは明らかである。
【００２８】
例えば、上記実施形態では、延出部と外張断熱材との間に防水テープを貼設する構成としたが、外張断熱材の外面に別部材を貼り付けた場合、この別部材の外面と面一となるよう、延出部を設けておいて、この延出部と別部材との間に防水テープを貼設することはいうまでもない。この場合、別部材を含んで外張断熱材を構成している。図１及び図３の実施形態では、上枠３、及び下枠５並びに縦枠（図示せず）が、本体枠と外付け枠の２部品で構成されている。従って、外張断熱工法では、上記のように、本体枠にねじ１５を用いて外付け枠を連結して使用するが、例えば図５に示す充填工法の場合、本体枠だけを使用すれば足りる。要するに、窓枠が本体枠と外付け枠の２部品で構成されている場合、外張断熱工法、充填工法等の間で兼用化が図られる。
【００２９】
本発明は、ドアサッシ、引き違い式のサッシ、縦すべりサッシ、横すべりサッシ、或いは開閉式の障子を持たないはめ殺し式のフィックスサッシなど、すべてのサッシに適用可能なことはいうまでもない。
【００３０】
【発明の効果】
請求項１又は３記載の発明では、窓枠の少なくとも上枠、及び左右縦枠には外張断熱材の外面と略面一に延びる延出部が設けられ、この略面一に延びる延出部と外張断熱材との間に防水テープが貼設されるため、従来のように、防水テープを略Ｌ字形に折り曲げながら貼設する必要がなく、防水テープを貼設する際の作業性が向上し、しかも防水テープが重なり合うコーナー部でピンホールが発生せず、雨仕舞いを安定させることができる。
【００３１】
請求項２記載の発明では、外付け枠がシーリング材の受け止め部を備えたため、本体枠と外付け枠との接合部へシーリング材を打つことができ、接合部からの漏水を防ぐことができ、その打ち込み作業が容易になる。
【図面の簡単な説明】
【図１】本発明による開口部装置の一実施形態を示す縦断面図である。
【図２】図１の下枠を拡大して示す断面図である。
【図３】上記実施形態の要部を示す斜視図である。
【図４】別の実施形態を示す縦断面図である。
【図５】図４の下枠を拡大して示す断面図である。
【図６】本体枠と外付け枠との接合面におけるシール構造を示す断面図である。
【図７】本体枠と外付け枠との接合面におけるシール構造を示す断面図である。
【図８】さらに別の実施形態を示す縦断面図である。
【図９】従来の開口部装置を示す図である。
【図１０】従来の開口部装置を示す図である。
【図１１】従来の開口部装置を示す図である。
【符号の説明】
１  窓枠
３  上枠
５  下枠
３Ｃ，５Ｃ  延出部
１２  躯体
１３  内装材
１７  外張断熱材
１７Ａ  外面
２３  防水テープ
８２  シーリング材
８３  受け止め部
【図１】
0003653465.tif 000002
【図２】
0003653465.tif 000003
【図３】
0003653465.tif 000004
【図４】
0003653465.tif 000005
【図５】
0003653465.tif 000006
【図６】
0003653465.tif 000007
【図７】
0003653465.tif 000008
【図８】
0003653465.tif 000009
【図９】
0003653465.tif 000010
【図１０】
0003653465.tif 000011
【図１１】
0003653465.tif 000012